(57)【要約】【課題】屋根に貫通孔を穿設した際に生じる屑が屋内に落下するのを防止することができる屋根の貫通孔穿設方法を提供すること。【解決手段】屋根４の所定部位に貫通孔４２を穿設し、受け部材４６により貫通孔４２を下方より覆うようにして、貫通孔４２を通して受け部材４６を支持し、かかる状態にて貫通孔４２を更に拡径させる。このような貫通孔穿設方法によれば、受け部材４６により屋根材の破片などの屑を受けるので、この屑が屋内に落下するのを防止することができ、安全性を高めることができるとともに、屋内が屑により汚損されるのを防止することができる。【選択図】図７
2012238618.tif 000002
【特許請求の範囲】
【請求項１】
屋根に貫通孔を穿設した際に生じる屑を受けるための受け部材を用いて、屋根に貫通孔を穿設する屋根の貫通孔穿設方法であって、
前記屋根の所定部位に貫通孔を穿設し、前記受け部材により前記貫通孔を下方より覆うようにして、前記貫通孔を通して前記受け部材を支持し、かかる状態にて前記貫通孔を更に拡径させることを特徴とする屋根の貫通孔穿設方法。
【請求項２】
前記受け部材にはパッキンが取り付けられ、前記受け部材は前記パッキンが屋根材の下面に当接されるようにして支持されることを特徴とする請求項１に記載の貫通孔穿設方法。
【請求項３】
前記受け部材は傘状受け部材から構成され、前記傘状受け部材は、シャフト部と、前記シャフト部に開閉自在に取り付けられた複数の傘骨部と、前記複数の傘骨部に張られたシート部と、を備え、前記複数の傘骨部は、前記シャフト部から径方向外方に放射状に延びる開状態と、前記シャフト部に沿って折り畳まれる閉状態とに保持され、
前記屋根の所定部位に貫通孔を穿設し前記複数の傘骨部を前記閉状態に保持して前記傘状受け部材を前記貫通孔を通して屋内に挿入し、前記複数の傘骨部を前記閉状態から前記開状態に保持させて前記シート部により前記貫通孔を下方より覆い、前記貫通孔を通して前記シャフト部を支持し、かかる状態にて前記貫通孔を更に拡径させることを特徴とする請求項１又は２に記載の屋根の貫通孔穿設方法。
【請求項４】
前記屋根の前記貫通孔を穿設した個所に支持アーム部材を設置し、前記貫通孔を通して前記シャフト部材を前記支持アーム部材に取り付けて支持させることを特徴とする請求項３に記載の貫通孔穿設方法。
【請求項５】
前記貫通孔を更に拡径させた後、前記複数の傘骨部を前記開状態から前記閉状態に保持させて前記傘状受け部材を前記貫通孔を通して屋外に取り出すことを特徴とする請求項３又は４に記載の貫通孔穿設方法。
【請求項６】
前記屋根に貫通孔を穿設した際に生じる屑を受けるための他の受け部材を更に用い、前記他の受け部材は、ロッド部と、前記ロッド部の先端部に設けられた受け部と、を備え、
前記屋根の所定部位に貫通孔を穿設する際には、前記他の受け部材の前記受け部により前記屋根の前記所定部位を下方より覆うことを特徴とする請求項３〜５の何れかに記載の屋根の貫通孔穿設方法。
【請求項７】
屋根に設けられて太陽からの光を導入するための採光手段と、前記採光手段からの光をその内面で反射させながら所定方向へ導く筒状の導光手段と、前記導光手段により導かれた光を屋内に照射する照射手段と、を備えた採光装置において、
前記採光手段はドーム部材並びに第１及び第２取付部材を備え、前記第１取付部材は、前記屋根に取り付けられる第１基台部と、前記第１基台部から上方に延びる第１支持部とから構成され、前記第２取付部材は、前記第１取付部材の前記第１支持部の開口部に取り付けられる第２基台部と、前記第２基台部から上方に延びて前記ドーム部材を支持するための第２支持部とから構成され、前記第１支持部の上流側における前記第１基台部には平坦部が形成され、また前記第１基台部の一端部は、前記第１基台部に隣接してその上側に敷設された屋根材の形状に対応した形状を有し、前記第１基台部の両側端部は、前記第１基台部に隣接してその両側に敷設された屋根材の形状に対応した形状を有することを特徴とする採光装置。
【請求項８】
太陽からの光を導入するための採光手段と、前記採光手段からの光をその内面で反射させながら所定方向へ導く筒状の導光手段と、前記導光手段により導かれた光を屋内に照射する照射手段と、を備えた採光装置において、
前記導光手段は円筒状の筒状部材から構成され、
前記照射手段は前記筒状部材の端部に装着され、
前記導光手段に関連して照明手段が設けられ、前記照明手段は、前記筒状部材の前記端部における外側部に取り付けられた支持部材と、前記支持部材の内側部に設けられた光源と、を備え、前記支持部材は、筒状の取付支持部と、前記取付支持部より径方向外方に傘状に延び前記採光手段側から前記照射手段側に横断面積が拡大される拡大部とを有し、前記取付支持部の外面と前記拡大部の内面にはそれぞれ反射面が形成されていることを特徴とする採光装置。
【発明の詳細な説明】
【技術分野】
【０００１】
本発明は、太陽からの光を屋内へ導入して屋内を照明するための採光装置及び屋根に貫通孔を穿設する屋根の貫通孔穿設方法に関する。
【背景技術】
【０００２】
近年、太陽からの光を屋内へ導入して屋内を照明するための採光装置が実用に供されている。この採光装置は、建物の屋根に設けられて太陽からの光を導入するための採光手段と、この採光手段からの光をその内面で反射させながら所定方向へ導く筒状の導光手段と、導光手段により導かれた光を屋内に照射する照射手段と、を備えている（例えば、特許文献１参照）。
【０００３】
採光手段はドーム部材及び取付部材を備えており、取付部材は、屋根に取り付けられる基台部と、基台部から上方に延びる筒状の支持部とから構成され、ドーム部材は支持部の開口部に装着される。導光手段は、相互に接続される複数の筒状部材から構成され、導光手段の一端部は、屋根に設けられた貫通孔を通して取付部材の支持部に連結され、その他端部は照射手段に連結される。
【先行技術文献】
【特許文献】
【０００４】
【特許文献１】特開２００７−３０５５０４号公報
【発明の開示】
【発明が解決しようとする課題】
【０００５】
上述のような従来の採光装置を例えば工場や倉庫、店舗などのように屋内に天井を有さない建物に設置する際には、まず、例えばコアドリルやホールソーなどの穿設用工具を用いて屋根に貫通孔を穿設し、この貫通孔と支持部とが対応するようにして取付部材を屋根に設置する。そして、導光手段の一端部を上記貫通孔を通して取付部材の支持部に連結し、導光手段の他端部に連結された照射手段を屋根から吊り下げられた支持用枠体に取り付ける。しかしながら、このような作業は屋内の高所で行われるために屋内に足場を組む必要があり、屋内に充分な作業スペースを確保することができない場合には、作業性が著しく低下するという問題がある。特に、建物の新築時に採光装置を設置する場合には、屋根に屋根材を敷設した後に、上述のようにこの敷設した屋根材に貫通孔を穿設して採光装置を設置するため、屋根材の敷設作業及び取付部材の設置作業を別に行わなければならず、採光装置を容易に設置することができないという問題がある。また、上述のように屋根に貫通孔を穿設すると、屋根材の破片などの屑が屋内に落下し、安全性が低下するとともに屋内が汚損されるという問題がある。
【０００６】
本発明の目的は、容易に設置を行うことができる採光装置を提供することである。
また、本発明の他の目的は、屋外側より設置作業を行うことができ、作業性を高めることができる採光装置を提供することである。
【０００７】
また、本発明の更に他の目的は、屋根に貫通孔を穿設した際に生じる屑が屋内に落下するのを防止することができる屋根の貫通孔穿設方法を提供することである。
【課題を解決するための手段】
【０００８】
本発明の請求項１に記載の貫通孔穿設方法は、屋根に貫通孔を穿設した際に生じる屑を受けるための受け部材を用いて、屋根に貫通孔を穿設する屋根の貫通孔穿設方法であって、  前記屋根の所定部位に貫通孔を穿設し、前記受け部材により前記貫通孔を下方より覆うようにして、前記貫通孔を通して前記受け部材を支持し、かかる状態にて前記貫通孔を更に拡径させることを特徴とする。
【０００９】
また、本発明の請求項２に記載の貫通孔穿設方法は、前記受け部材にはパッキンが取り付けられ、前記受け部材は前記パッキンが屋根材の下面に当接されるようにして支持されることを特徴とする。
さらに、本発明の請求項３に記載の貫通孔穿設方法は、前記受け部材は傘状受け部材から構成され、前記傘状受け部材は、シャフト部と、前記シャフト部に開閉自在に取り付けられた複数の傘骨部と、前記複数の傘骨部に張られたシート部と、を備え、前記複数の傘骨部は、前記シャフト部から径方向外方に放射状に延びる開状態と、前記シャフト部に沿って折り畳まれる閉状態とに保持され、前記屋根の所定部位に貫通孔を穿設し前記複数の傘骨部を前記閉状態に保持して前記傘状受け部材を前記貫通孔を通して屋内に挿入し、前記複数の傘骨部を前記閉状態から前記開状態に保持させて前記シート部により前記貫通孔を下方より覆い、前記貫通孔を通して前記シャフト部を支持し、かかる状態にて前記貫通孔を更に拡径させることを特徴とする。
【００１０】
また、本発明の請求項４に記載の貫通孔穿設方法は、前記屋根の前記貫通孔を穿設した個所に支持アーム部材を設置し、前記貫通孔を通して前記シャフト部材を前記支持アーム部材に取り付けて支持させることを特徴とする。
【００１１】
さらに、本発明の請求項５に記載の貫通孔穿設方法は、前記貫通孔を更に拡径させた後、前記複数の傘骨部を前記開状態から前記閉状態に保持させて前記傘状受け部材を前記貫通孔を通して屋外に取り出すことを特徴とする。
【００１２】
また、本発明の請求項６に記載の貫通孔穿設方法は、前記屋根に貫通孔を穿設した際に生じる屑を受けるための他の受け部材を更に用い、前記他の受け部材は、ロッド部と、前記ロッド部の先端部に設けられた受け部と、を備え、前記屋根の所定部位に貫通孔を穿設する際には、前記他の受け部材の前記受け部により前記屋根の前記所定部位を下方より覆うことを特徴とする。
【００１３】
本発明の請求項７に記載の採光装置は、屋根に設けられて太陽からの光を導入するための採光手段と、前記採光手段からの光をその内面で反射させながら所定方向へ導く筒状の導光手段と、前記導光手段により導かれた光を屋内に照射する照射手段と、を備えた採光装置において、前記採光手段はドーム部材並びに第１及び第２取付部材を備え、前記第１取付部材は、前記屋根に取り付けられる第１基台部と、前記第１基台部から上方に延びる第１支持部とから構成され、前記第２取付部材は、前記第１取付部材の前記第１支持部の開口部に取り付けられる第２基台部と、前記第２基台部から上方に延びて前記ドーム部材を支持するための第２支持部とから構成され、前記第１支持部の上流側における前記第１基台部には平坦部が形成され、また前記第１基台部の一端部は、前記第１基台部に隣接してその上側に敷設された屋根材の形状に対応した形状を有し、前記第１基台部の両側端部は、前記第１基台部に隣接してその両側に敷設された屋根材の形状に対応した形状を有することを特徴とする。
【００１４】
本発明の請求項８に記載の採光装置は、太陽からの光を導入するための採光手段と、前記採光手段からの光をその内面で反射させながら所定方向へ導く筒状の導光手段と、前記導光手段により導かれた光を屋内に照射する照射手段と、を備えた採光装置において、
前記導光手段は円筒状の筒状部材から構成され、前記照射手段は前記筒状部材の端部に装着され、前記導光手段に関連して照明手段が設けられ、前記照明手段は、前記筒状部材の前記端部における外側部に取り付けられた支持部材と、前記支持部材の内側部に設けられた光源と、を備え、前記支持部材は、筒状の取付支持部と、前記取付支持部より径方向外方に傘状に延び前記採光手段側から前記照射手段側に横断面積が拡大される拡大部とを有し、前記取付支持部の外面と前記拡大部の内面にはそれぞれ反射面が形成されていることを特徴とする。
【発明の効果】
【００１５】
本発明の請求項１に記載の屋根の貫通孔穿設方法によれば、受け部材により屋根材の破片などの屑を受けるので、この屑が屋内に落下するのを防止することができ、安全性を高めることができるとともに、屋内が屑により汚損されるのを防止することができる。
【００１６】
本発明の請求項２に記載の屋根の貫通孔穿設方法によれば、パッキンによってシールされるので、屋根材の破片などの屑が屋内に落下するのが防止される。
【００１７】
本発明の請求項３に記載の屋根の貫通孔穿設方法によれば、受け部材は、複数の傘骨部が開閉自在に構成されているので、複数の傘骨部を閉状態に保持することによって受け部材を貫通孔を通して屋内に容易に挿入することができ、また複数の傘骨部を開状態に保持することによってシート部により貫通孔を下方より確実に覆うことができる。
【００１８】
本発明の請求項４に記載の屋根の貫通孔穿設方法によれば、受け部材を支持アーム部材からつり下げて支持できる。
【００１９】
本発明の請求項５に記載の屋根の貫通孔穿設方法によれば、傘状受け部材を屋外に取り出すことにより、屋根材の破片などの屑を回収することができる。
【００２０】
本発明の請求項６に記載の屋根の貫通孔穿設方法によれば、他の受け部材により屋根に貫通孔を穿設した際に生じる屋根材の破片などの屑を受けるので、この屑が屋内に落下するのを防止することができ、安全性を高めることができるとともに、屋内が屑により汚損されるのを防止することができる。また、他の受け部材は、ロッド部の先端部に受け部が設けられた構成であるので、屋内には少なくともロッド部を把持した作業員一人が立つ作業スペースを確保できればよく、屋内での作業性を高めることができる。
【００２１】
本発明の請求項７に記載の採光装置によれば、第１基台部の一端部は、第１基台部に隣接してその上側に敷設された屋根材の形状に対応した形状を有し、第１基台部の両側端部は、基台部に隣接してその両側に敷設された屋根材の形状に対応した形状を有するので、第１取付部材が屋根に敷設される屋根材の一部を構成するようになり、それ故に、屋根材の敷設作業と第１取付部材の設置作業とを同時に行うことができ、採光装置の設置を容易に行うことができる。また、第１支持部の上流側における第１基台部には平坦部が形成されているので、降雨時に第１基台部の上流側より流れる雨水がこの平坦部に流れ込むことにより、雨水の流れが拡散されてその勢いが弱められ、それ故に、雨水が第１基台部の下流側へ流れ易くなり、屋根上における水捌けを良くすることができる。
【００２２】
本発明の請求項８に記載の採光装置によれば、導光手段に関連して照明手段が設けられているので、太陽からの光を充分に得ることができない雨天時や夜間などにおいても、光源からの光によって屋内を照明することができる。また、支持部材の拡大部は取付支持部より径方向外方に傘状に延び、採光手段側から前記照射手段側に横断面積が拡大されるので、光源からの光を支持部材の内面の反射面に効率良く反射させることができ、照明効率を高めることができる。
【図面の簡単な説明】
【００２３】
【図１】本発明の第１の実施形態による採光装置を示す概略断面図である。
【図２】図１の採光装置を示す分解斜視図である。
【図３】第１受け部材を示す図である。
【図４】複数の傘骨部が開状態に保持された状態での第２受け部材を示す概略断面図である。
【図５】複数の傘骨部が閉状態に保持された状態での第２受け部材を示す図である。
【図６】図３の第１受け部材を用いて屋根に貫通孔を穿設した際に生じる屑を受ける状態を示す概略断面図である。
【図７】図４の第２受け部材を用いて屋根に貫通孔を穿設した際に生じる屑を受ける状態を示す概略断面図である。
【図８】本発明の第２の実施形態による採光装置を示す概略断面図である。
【図９】本発明の第３の実施形態による採光装置を示す概略斜視図である。
【図１０】図９中のＡ−Ａ線による採光装置の概略断面図である。
【図１１】本発明の第４の実施形態による採光装置を示す概略斜視図である。
【図１２】本発明の第５の実施形態による採光装置を示す概略斜視図である。
【図１３】本発明の第６の実施形態による採光装置を示す概略斜視図である。
【発明を実施するための最良の形態】
【００２４】
以下、添付図面を参照して、本発明に従う採光装置及び屋根の貫通孔穿設方法の各種実施形態について説明する。
［第１の実施形態］
まず、図１〜図７を参照して、第１の実施形態の採光装置及び屋根の貫通孔穿設方法について説明する。図１は、本発明の第１の実施形態による採光装置を示す概略断面図であり、図２は、図１の採光装置を示す分解斜視図であり、図３は、第１受け部材を示す図であり、図４は、複数の傘骨部が開状態に保持された状態での第２受け部材を示す概略断面図であり、図５は、複数の傘骨部が閉状態に保持された状態での第２受け部材を示す図であり、図６は、図３の第１受け部材を用いて屋根に貫通孔を穿設した際に生じる屑を受ける状態を示す概略断面図であり、図７は、図４の第２受け部材を用いて屋根に貫通孔を穿設した際に生じる屑を受ける状態を示す概略断面図である。
【００２５】
図１及び図２において、図示の採光装置２は、建物の屋根４に設けられて太陽からの光を導入するための採光手段６と、採光手段６からの光をその内面で反射させながら所定方向に導く導光手段８と、導光手段８により導かれた光を屋内に照射する照射手段１０と、を備えている。以下、これら各構成要素について詳細に説明する。
【００２６】
採光手段６は、取付部材１２と、この取付部材１２に取り付けられるドーム部材１４と、を備えている。取付部材１２は、平板状の基台部１６と、基台部１６から上方に延びる円筒状の支持部１８とから構成され、例えばガルバニウム、アルミニウム又は銅などの金属や繊維強化プラスチック（ＦＲＰ）などから形成される。支持部１８の外側部には、その全周に渡って結露防止用テープ部材２０が取り付けられており、この結露防止用テープ部材２０の片面には複数の毛状体（図示せず）が密に植設されている。ドーム部材１４は略半球面状に構成され、例えば透明なアクリルやポリカーボネートなどの合成樹脂やガラスなどから形成される。ドーム部材１４の開口部には、階段状に幾分拡径された段差部２２が設けられている。
【００２７】
導光手段８は円筒状の筒状部材２４から構成され、この筒状部材２４の内面には、例えばアルミニウムフィルムなどの反射材を貼着する、あるいはアルミニウムの蒸着などにより構成された反射面２６が形成されている。筒状部材２４の一端部における外周部には、径方向外方に延びるリング状の固定部材２８がリベット３０を用いて取り付けられている。この固定部材２８の外側部には、複数の空気流入用凹部３２が周方向に間隔を置いて設けられている。固定部材２８が支持部１８の開口部３４に装着されるようにして筒状部材２４が支持部１８の内部に挿入支持され、更に段差部２２が固定部材２８に載置固定されるようにしてドーム部材１４が支持部１８の開口部３４に取り付けられる。このように取り付けられると、ドーム部材１４の開口部と支持部１８の外側部との間の隙間には結露防止用テープ部材２０が介在され、また複数の空気流入用凹部３２によって段差部２２と固定部材２８との間には隙間が形成されるようになり、これにより、結露防止用テープ部材２０の複数の毛状体の隙間及び複数の空気流入用凹部３２を通してドーム部材１４の内部と屋外とが連通される。
【００２８】
また、支持部１８の開口部３４に装着されたドーム部材１４の内側部には、凹状に湾曲された集光反射板３６が配設される。集光反射板３６の凹面側は、太陽光を採光するための反射面として機能し、この反射面は、例えばアルミニウムフィルムなどの反射材を貼着する、あるいはアルミニウムの蒸着などにより形成されている。集光反射板３６の下端部には複数の取付片３８が設けられ、この複数の取付片３８が筒状部材２４の一端部と固定部材２８との間の隙間に差し込まれることにより、集光反射板３６が筒状部材２４の一端部に取り付けられる。なお、この集光反射板３６の凹面側の幅方向中央部は南の方角を向くようにすることが好ましく、これにより特に日の出や日の入りなどのように太陽高度の低いときにおいて、太陽光を集光反射板３６の凹面側で受光して採光することができる。
【００２９】
照射手段１０は半球面状の拡散カバー部材４０から構成され、この拡散カバー部材４０は、例えば半透明のアクリルやプラスチックなどの合成樹脂やガラスなどから形成される。この拡散カバー部材４０は、例えばアルミニウムテープ（図示せず）などを用いて筒状部材２４の他端部に装着される。
【００３０】
図３〜図７をも参照して、上述した採光装置２を例えば工場や倉庫、店舗などの建物に施工する方法について説明すると、次の通りである。採光装置２を施工する際には、まず、屋根４に導光手段８を挿通するための貫通孔４２を穿設し、このように貫通孔４２を穿設した際に生じる屑４３は、第１受け部材４４及び第２受け部材４６を用いて受けることができる。
【００３１】
図３に示す第１受け部材４４は、伸縮自在に構成されたロッド部４８と、このロッド部４８の先端部に設けられたカップ状の受け部５０と、を備えている。ロッド部４８は、相互に伸縮自在に連結された複数の筒状体５２を有し、各筒状体５２が隣接する筒状体５２に対して相対的にスライドされることにより、ロッド部４８全体が釣り竿の如く自在に伸縮される。受け部５０の内部には屑４３が収容される収容空間５４が形成され、また受け部５０の開口端部にはリング状のパッキン５６が取り付けられている。
【００３２】
図４及び図５に示す第２受け部材４６は雨傘の如く構成され、シャフト部５８と、シャフト部５８に開閉自在に取り付けられた複数の傘骨部６０と、複数の傘骨部６０に張られた可撓性を有するシート部６２と、を備えている。複数の傘骨部６２にはそれぞれ支骨部６４の一端部が回動自在に接続されており、これら複数の支骨部６４の各他端部は、シャフト部５８にスライド移動自在に装着されたロクロ部６６に回動自在に接続されている。ロクロ部６６をシャフト部５８に対して相対的に図４中の矢印Ｐで示す方向にスライド移動させると、複数の傘骨部６０はシャフト部５８に沿って折り畳まれる閉状態に保持され（図５参照）、またロクロ部６６をシャフト部５８に対して相対的に図５中の矢印Ｑで示す方向にスライド移動させると、複数の傘骨部６０がシャフト部５８から径方向外方に放射状に延びる開状態に保持される（図４参照）。複数の傘骨部６０が開状態に保持されると、シート部６２はカップ状に保持され、このシート部６２の内部には屑４３が収容される収容空間６８が形成される。また、シート部６２の開放端部にはリング状のパッキン７０が取り付けられ、シャフト部５８の先端部には固定用フック７２が設けられている。
【００３３】
上述した第１及び第２受け部材４４，４６を用いて、屋根４に敷設された例えばスレートなどの屋根材７４に貫通孔４２を穿設する方法について説明する。まず、屋内の床に支持台７３を設置し、この支持台７３に第１受け部材４４のロッド部４８を支持する。支持台７３は、開口部７５を有する一対の取付板部７７と、これら一対の取付板部７７を上下に対向させて支持する脚部７９とから構成され、各取付板部７７の開口部７５にはロッド部４８の基端部側が挿入支持される。作業員７６がこの支持台７３に支持されたロッド部４８を把持してこれを上下に伸張させ、パッキン５６が屋根材７４の下面に当接されるようにして、受け部５０を屋根材７４の所定部位の下方に配設する（図６参照）。かかる状態にて、例えばコアドリルやホールソーなどの穿設用工具（図示せず）を用いて、屋根材７４の上記所定部位に直径Ｄ１（例えば約１００ｍｍ）の略円形状の貫通孔４２を穿設する。なお、貫通孔４２の直径Ｄ１は、後述するように少なくとも複数の傘骨部６０が閉状態に保持された第２受け部材４６が挿入できる大きさであればよい。貫通孔４２は受け部５０によって下方より覆われているので、貫通孔４２を穿設した際に生じる屋根材７４の破片などの屑４３は、受け部５０の収容空間５４に落下して収容され、屋内に屑４３が落下するのが防止される。また、収容空間５４はパッキン５６によってシールされるので、屑４３が収容空間５４の外部に漏出して屋内に落下するのが防止される。
【００３４】
貫通孔４２の穿設が完了すると、ロッド部４８を収縮させて受け部５０の収容空間５４に収容された屑４３を回収する。従って、屋内には少なくとも第１受け部材４４を把持した作業員７６一人が立つ作業スペースを確保できればよく、屋内での作業性を高めることができる。
【００３５】
次に、屋根４の貫通孔４２を穿設した個所に支持アーム部材７８を設置する。この支持アーム部材７８は、棒状のアーム部８０と、アーム部８０の両端部に設けられた一対の脚部８２とから構成される。複数の傘骨部６０を閉状態に保持して第２受け部材４６を貫通孔４２を通して屋内に挿入し、ロクロ部６６をスライド移動させて複数の傘骨部６０を閉状態から開状態に保持させ、固定用フック７２をアーム部８０に係止させる。これにより第２受け部材４６は、シート部６２に取り付けられたパッキン７０が屋根材７４の下面に当接されるようにして、アーム部８０から吊り下げられて支持される（図７参照）。かかる状態にて、例えばコアドリルやホールソーなどの穿設用工具を用いて、上述した貫通孔４２を更に穿設して上記直径Ｄ１よりも大きい直径Ｄ２（例えば約６００ｍｍ）に拡径させる。なお、貫通孔４２の直径Ｄ２は、後述するように少なくとも筒状部材２４が挿入できる大きさであればよい。貫通孔４２はカップ状に形成されたシート部６２によって下方より覆われているので、貫通孔４２を穿設した際に生じる屋根材７４の破片などの屑４３は、シート部６２の収容空間６８に落下して収容され、屋内に屑４３が落下するのが防止される。また、収容空間６８はパッキン７０によってシールされるので、屑４３が収容空間６８の外部に漏出して屋内に落下するのが防止される。貫通孔４２の穿設が完了すると、複数の傘骨部６０を開状態から閉状態（開状態と閉状態との間の状態を含む）に保持させて第２受け部４６を貫通孔４２を通して屋外に取り出し、折り畳まれたシート部６２の収容空間６８に収容された屑４３を回収する。
【００３６】
従って、複数の傘骨部６０を閉状態に保持することによって第２受け部材４６を貫通孔４２を通して屋内に容易に挿入することができ、また複数の傘骨部６０を開状態に保持することによってシート部６２により貫通孔４２を下方より確実に覆うことができる。
【００３７】
上述のように屋根材７４に貫通孔４２を穿設した後に、次のようにして採光装置２を設置する。まず、略円形状の開口部８４が設けられたプレート部材８６を屋根材７４に載置し、この開口部８４が屋根材７４に穿設した貫通孔４２に対応されるようにして、例えば釘（図示せず）などを用いてプレート部材８６を屋根材７４に固定する（図１参照）。その後、支持部１８がこの開口部８４に対応して配設されるようにしてプレート部材８６に基台部１６をルーフィング（図示せず）を介して載置し、例えば釘（図示せず）などを用いて基台部１６をプレート部材に固定する。基台部１６の上流側端部及び下流側端部にはそれぞれ、薄板状の金属プレート８８を重ね合わさるようにして配設する。
【００３８】
更にその後、支持部１８の開口部３４より拡散カバー部材４０が装着された側が下側になるようにして筒状部材２４を挿入し、固定部材２８を支持部１８の開口部３４に装着する。そして、段差部２２が固定部材２８に載置固定されるようにしてドーム部材１４を支持部１８の開口部３４に装着し、固定用ネジ９０を用いてドーム部材１４を支持部１８に固定する。
【００３９】
以上のようにして採光装置２の設置が完了される。従って、この第１の実施形態の採光装置２では、その設置作業を屋根４上（屋外）で行うことができ、屋内での作業性を高めることができる。
【００４０】
上述の採光装置２による屋内の照明は、次のようにして行われる。ドーム部材１４を通して導入された太陽からの光は、日の出や日の入りなど太陽高度の低いときにはドーム部材１４内に設けられた集光反射板３６の凹面側で反射されて筒状部材２４の内部へと導かれ、また日中など太陽高度の高いときには支持部１８の開口部３４より筒状部材２４の内部へと導かれる。このように導かれた光は、筒状部材２４の内面を乱反射しながら所定方向（即ち、照射手段１０が配設された方向）へと導かれ、筒状部材２４の他端部から出射されて拡散カバー部材４０を通して屋内に拡散照射される。
【００４１】
なお、外気温が低い冬季などにおいては、外気が結露防止用テープ部材２０の複数の毛状体の隙間及び複数の空気流入用凹部３２を通してドーム部材１４の内部に流入することにより、ドーム部材１４の内部温度と外気温との温度差が小さくなり、ドーム部材１４の内部において結露が発生するのが防止される。
【００４２】
［第２の実施形態］
次に、図８を参照して、第２の実施形態の採光装置について説明する。図８は、本発明の第２の実施形態による採光装置を示す概略断面図である。なお、以下の実施形態において、上記第１の実施形態と実質上同一の構成要素には同一の符号を付し、その説明を省略する。
【００４３】
図８において、この第２の実施形態の採光装置２Ａでは、導光手段８Ａの筒状部材２４Ａは、相互に回動自在に接続された一対の筒状部９２から構成されている。一方の筒状部９２をその他方の筒状部９２に対して相対的に回動させることにより、一方の筒状部９２は他方の筒状部９２に対して例えば約０度〜約４５度の角度範囲で自在に屈曲される。これにより、筒状部材２４Ａを例えば約０度〜約４５度の角度範囲で任意の角度に自在に屈曲させることができ、照射手段１０からの光の照射方向を調節することができる。
【００４４】
また、筒状部材２４Ａの他端部には照明手段９４が設けられている。この照明手段９４は、筒状部材２４Ａの他端部における外側部に取り付けられる支持部材９６と、支持部材９６の内側部に設けられた光源９８と、を備えている。支持部材９６は、筒状の取付支持部１００と、取付支持部１００より径方向外方に傘状に延び、採光手段６側から照射手段１０側に横断面積が拡大される拡大部１０２とから構成される。支持部材９６の内面、即ち、取付支持部１００の外面と拡大部１０２の内面にはそれぞれ反射面１０４が形成されている。光源９８は、複数の取付基板１０６と、各取付基板１０６に取り付けられる複数の高輝度ＬＥＤ１０８とから構成され、複数の取付基板１０６は、拡大部１０２の径方向内側における内側部に周方向に間隔を置いて取り付けられている。従って、複数の高輝度ＬＥＤ１０８を点灯させることにより、複数の高輝度ＬＥＤ１０８からの光が反射面１０４に反射された後に屋内に照射され、太陽からの光を充分に得ることのできない雨天時や夜間などにおいても屋内を照明することができる。
【００４５】
なお、照明手段９４に関連して、屋内の照度を検知するための照度センサ（図示せず）と、照度センサからの検知信号に基づいて複数の高輝度ＬＥＤ１０８を点灯制御する点灯制御手段（図示せず）とを設けるようにしてもよい。この照度センサにより検知された屋内の照度が設定照度よりも低下すると、点灯制御手段は複数の高輝度ＬＥＤ１０８を点灯させ、また、検知された屋内の照度が上記設定照度を超えると、点灯制御手段は複数の高輝度ＬＥＤ１０８を消灯させる。これにより、例えば雨天時や夜間などにおいて照射手段１０から照射される太陽からの光の照度が低下して屋内が暗くなったときには、照明手段９４からの光によって屋内を自動的に照明することができ、屋内を安定した照度で照明することができる。あるいは、照度センサを屋外に設置し、照度センサにより屋外の照度（太陽からの光の照度）を検知するようにしてもよい。
【００４６】
また、この第２の実施形態では、光源９８を複数の高輝度ＬＥＤ１０８から構成したが、例えば蛍光灯などの放電灯から構成してもよい。
［第３の実施形態］
次に、図９及び図１０を参照して、第３の実施形態の採光装置について説明する。図９は、本発明の第３の実施形態による採光装置を示す概略斜視図であり、図１０は、図９中のＡ−Ａ線による採光装置の概略断面図である。
【００４７】
図９及び図１０において、この第３の実施形態の採光装置２Ｂでは、採光手段６Ｂはドーム部材１４並びに第１及び第２取付部材１１０，１１２を備えている。第１取付部材１１０は、第１基台部１１４と、第１基台部１１４から上方に延びてドーム部材１４を支持するための第１支持部１１６とから構成されている。第１基台部１１４は、屋根４に敷設される屋根材（本実施形態では折版屋根材）（図示せず）の大きさに対応した大きさに構成されている。第１基台部１１４の上流側端部１１８（一端部）及び下流側端部１２０（他端部）はそれぞれ、第１基台部１１４に隣接してその上側及び下側に敷設される屋根材の形状に対応した形状、即ち、山部１２２と谷部１２４とが交互に並んで配設された形状を有している。第１基台部１１４の上流側端部１１８には、その上側に隣接する屋根材が上側に重なるようにして敷設され、またその下流側端部１２０には、その下側に隣接する屋根材が下側に重なるようにして敷設される。また、第１基台部１１４の両側端部１２６，１２８はそれぞれ、第１基台部１１４に隣接してその両側に敷設される屋根材の形状に対応した形状、即ち、山部１２２と谷部１２４とが交互に並んで配設された形状を有している。第１基台部１１４の一側端部１２６には、その片側に隣接する屋根材が上側に重なるようにして敷設され、またその他側端部１２８には、その他側に隣接する屋根材が下側に重なるようにして敷設される。また、第１支持部１１６は長方形状の筒状に構成され、第１支持部１１６の周囲における第１基台部１１４には平坦部１３０が形成されている。なお、平坦部１３０と第１基台部１１４の上流側端部１１８及び下流側端部１２０との各境界部において、山部１２２の開口部は防水用の面戸１３２により閉塞されている。
【００４８】
第２取付部材１１２は、平板状の第２基台部１３４と、第２基台部１３４から上方に延びる円筒状の第２支持部１３６とから構成されている。第２基台部１３４の外周部には、下方に延びる側カバー部１３８が設けられている。この第２基台部１３４は第１取付部材１１０の第１支持部１１６の開口部に装着され、固定用ネジ１４０を用いて両者が固定される。第２支持部１３６には、筒状部材２４及びドーム部材１４が上記第１の実施形態と同様にして装着される。
【００４９】
この第３の実施形態の採光装置２Ｂでは、降雨時に第１基台部１１４の上流側より流れる雨水が平坦部１３０に流れ込むことにより、雨水の流れが拡散されてその勢いが弱められ、それ故に、雨水が第１基台部１１４の下流側へ流れ易くなり、屋根上における水捌けを良くすることができる。また、採光装置２Ｂが設置される地域の降雨量に応じて、第１支持部１１６の高さを設定することにより、平坦部１３０に流れ込んだ雨水に第１支持部１１６の大部分が浸水されるのを防止でき、降雨量が多い（少ない）場合には第１支持部１１６の高さを高く（低く）設定すればよい。この第３の実施形態では、平坦部１３０を第１支持部１１６の周囲に形成したが、少なくとも第１支持部１１６の上流側に形成することにより、上述した作用効果が達成される。
【００５０】
なお、この第３の実施形態では、第１基台部１１４の下流側端部１２０の形状を屋根材に対応した形状に構成したが、例えば次のように構成してもよい。即ち、第１基台部１１４の下流側端部１２０をフラット状に構成し、その下側に隣接する屋根材が下側に重なるようにして敷設し、第１基台部１１４の下流側端部１２０と屋根材との間の隙間を面戸により閉塞するようにしてもよい。
【００５１】
他の屋根材でもよい
［第４の実施形態］
次に、図１１を参照して、第４の実施形態の採光装置について説明する。図１１は、本発明の第４の実施形態による採光装置を示す概略斜視図である。
【００５２】
図１１において、この第４の実施形態の採光装置２Ｃでは、第１取付部材１１０Ｃの第１支持部１１６Ｃは菱形状の筒状に構成されており、その上流側角部と第１基台部１１４Ｃとの接続部１４２は凹状に湾曲されている。第１支持部１１６Ｃの上流側は三角状に構成されるようになるので、降雨時に第１基台部１１４Ｃの上流側より平坦部１３０Ｃに流れ込んだ雨水は、第１支持部１１６Ｃの上流側角部に沿って左右に分流されるようになり、雨水を第１基台部１１４Ｃの下流側へ効率良く流すことができる。また、第１支持部１１６Ｃの上流側角部と第１基台部１１４Ｃとの接続部１４２は凹状に湾曲されているので、第１基台部１１４Ｃの上流側より平坦部１３０Ｃに流れ込んだ雨水が第１支持部１１６Ｃの上流側角部に沿って分流される際の抵抗を小さくすることができる。
【００５３】
［第５の実施形態］
次に、図１２を参照して、第５の実施形態の採光装置について説明する。図１２は、本発明の第５の実施形態による採光装置を示す概略斜視図である。
【００５４】
図１２において、この第５の実施形態の採光装置２Ｄでは、採光手段６Ｄはドーム部材１４及び取付部材１４４を備え、取付部材１４４は、基台部１４６と、基台部１４６から上方に延びる支持部１４８とから構成されている。支持部１４８は円筒状に構成され、基台部１４６は上記第３の実施形態の第１基台部１１４と同様に構成されている。支持部１４８には、上記第１の実施形態と同様にして筒状部材（図示せず）及びドーム部材１４が取り付けられる。支持部１４８の上流側は円弧状に構成されるようになるので、降雨時に基台部１４６の上流側より平坦部１３０Ｄに流れ込んだ雨水は、支持部１４８の上流側に沿って左右に分流されるようになり、雨水を基台部１４６の下流側へ効率良く流すことができる。
【００５５】
［第６の実施形態］
次に、図１３を参照して、第６の実施形態の採光装置について説明する。図１３は、本発明の第６の実施形態による採光装置を示す概略斜視図である。
【００５６】
図１３において、この第６の実施形態の採光装置２Ｅでは、採光手段６Ｅはドーム部材１４並びに第１及び第２取付部材１５０，１５２を備えている。第１取付部材１５０は、第１基台部１５４と、第１基台部１５４から上方に延びてドーム部材１４を支持するための第１支持部１５６とから構成され、例えば柔軟性を有するアルミニウムから形成される。第１基台部１５４の上流側端部１５８（一端部）は上方に折り曲げられ、第１基台部１５４に隣接してその上側に敷設される屋根材（本実施形態では波形屋根材）（図示せず）の形状に対応した波形形状を有している。第１基台部の下流側端部１６０（他端部）は下方に折り曲げられ、第１基台部１５４に隣接してその下側に敷設される屋根材の形状に対応した波形形状を有している。第１基台部１５４の上流側端部１５８には、その上側に隣接する屋根材が上側に重なるようにして敷設され、またその下流側端部１６０には、その下側に隣接する屋根材が下側に重なるようにして敷設され、第１基台部１５４の上流側端部１５８及び下流側端部１６０と屋根材との間の隙間にはコーキングが施される。
【００５７】
また、第１基台部１５４の一側端部１６２及び他側端部１６４はそれぞれ、第１基台部１５４に隣接してその片側及び他側に敷設される屋根材の形状に対応した形状、即ち、谷部１６６と山部１６８とが連続した波形状に湾曲された形状を有している。第１基台部１５４の一側端部１６２には、その片側に隣接する屋根材が上側に重なるようにして敷設され、またその他側端部１６４には、その他側に隣接する屋根材が下側に重なるようにして敷設される。また、第１支持部１５６は長方形状の筒状に構成され、第１支持部１５６の上流側における第１基台部１５４には平坦部１３０Ｅが形成されている。第１支持部１５６の両側にはそれぞれ、第１基台部１５４の一側端部１６２及び他側端部１６４の各谷部１６６が接続され、これら谷部１６６は、平坦部１３０Ｅに流れ込んだ雨水が第１基台部１５４の下流側へ流れる際の流路として機能される。
【００５８】
第２取付部材１５２は、上記第３の実施形態の第２取付部材１１２と同様に構成され、この第２取付部材１５２には、筒状部材（図示せず）及びドーム部材１４が上記第３の実施形態と同様に装着される。この第６の実施形態の採光装置２Ｅにおいても、上記第３の実施形態と同様の作用効果が達成される。
【００５９】
以上、本発明に従う採光装置及び屋根の貫通孔穿設方法の種々の実施形態について説明したが、本発明はかかる実施形態に限定されるものではなく、本発明の範囲を逸脱することなく種々の変形乃至修正が可能である。
【符号の説明】
【００６０】
２，２Ａ〜２Ｅ  採光装置
６，６Ｂ〜６Ｅ  採光手段
８，８Ａ  導光手段
１０  照射手段
１２，１４４  取付部材
１４  ドーム部材
１６，１４６  基台部
１８，１４８  支持部
２２  段差部
２８  固定部材
３２  空気流入用凹部
４２  貫通孔
４４  第１受け部材
４６  第２受け部材
４８  ロッド部
５０  受け部
５８  シャフト部
６０  傘骨部
６２  シート部
９４  照明手段
９６  支持部材
９８  光源
１１０，１１０Ｃ，１５０  第１取付部材
１１２，１５２  第２取付部材
１１４，１１４Ｃ，１５４  第１基台部
１１６，１１６Ｃ，１５６  第１支持部
１３０，１３０Ｃ〜１３０Ｅ  平坦部
【図１】
2012238618.tif 000003
【図２】
2012238618.tif 000004
【図３】
2012238618.tif 000005
【図４】
2012238618.tif 000006
【図５】
2012238618.tif 000007
【図６】
2012238618.tif 000008
【図７】
2012238618.tif 000009
【図８】
2012238618.tif 000010
【図９】
2012238618.tif 000011
【図１０】
2012238618.tif 000012
【図１１】
2012238618.tif 000013
【図１２】
2012238618.tif 000014
【図１３】
2012238618.tif 000015